(57)【要約】最適条件で測定でき、高精度でありながら比較的容易、かつ低コストで製造できる光学的分析用の測定デバイスを提供することである。本発明に係る光学的分析用の測定デバイス１００は、第１平板１１１および第２平板１１２と、シリカガラスチップ３０１，３０２からなるシリカガラス部３００とからなる。そして、第１平板１１１に取付けたシリカガラスチップ３０１と、第２平板１１２に取付けたシリカガラスチップ３０２と、第１平板１１１および第２平板１１２からシリカガラスチップ３０１，３０２を通過する流路２４０と、を含むものである。
2013183290.tif 000002
【特許請求の範囲】
【請求項１】
樹脂部材と、
前記樹脂部材に取付けた無機物部材と、
前記樹脂部材を通って前記無機物部材と接触しながら通過する流路と、を含むことを特徴とする光学的分析用の測定デバイス。
【請求項２】
前記無機物部材は、テーパ部を有することを特徴とする請求項１記載の光学的分析用の測定デバイス。
【請求項３】
前記無機物部材は、断面が円形からなることを特徴とする請求項１または２に記載の光学的分析用の測定デバイス。
【請求項４】
前記無機物部材は、断面が矩形状からなることを特徴とする請求項１または２に記載の光学的分析用の測定デバイス。
【請求項５】
前記無機物部材は、前記樹脂部材と一体成形されたことを特徴とする請求項１から４のいずれか１項に記載の光学的分析用の測定デバイス。
【請求項６】
前記無機物部材は、前記樹脂部材から抜出防止の凸形状を有することを特徴とする請求項５記載の光学的分析用の測定デバイス。
【請求項７】
前記無機物部材は、前記樹脂部材からの抜出防止のための算術平均粗さがＲａ０．１μmから１μmの面を有することを特徴とする請求項５または６に記載の光学的分析用の測定デバイス。
【請求項８】
前記樹脂部材は、第１樹脂部材および第２樹脂部材からなり、前記無機物部材は、前記第１樹脂部材に取付けられた第１無機物部材と、前記第２樹脂部材に取付けられた第２無機物部材とからなり、
前記流路は、前記第１樹脂部材に形成された凹部と、前記第１無機物部材、前記第２樹脂部材および前記第２無機物部材の面とが組み合わせられることにより形成されたことを特徴とする請求項１から７のいずれか１項に記載の光学的分析用の測定デバイス。
【請求項９】
前記無機物部材は、光学的測定に使用する光の波長に対する透過率が８０％以上であることを特徴とする請求項１から８のいずれか１項に記載の光学的分析用の測定デバイス。
【請求項１０】
前記無機物部材は、シリカガラスであることを特徴とする請求項１から９のいずれか１項に記載の光学的分析用の測定デバイス。
【請求項１１】
前記無機物部材は、１８０ｎｍから１０００ｎｍの波長の光を９０％以上透過し、且つ１０００ｎｍから２５００ｎｍの波長の光を８０％以上透過する合成シリカガラスであることを特徴とする請求項１から１０のいずれか１項に記載の光学的分析用の測定デバイス。
【請求項１２】
前記無機物部材は、平行な２つの鏡面を持ち、且つ前記鏡面の一方が前記流路と接すると共に前記鏡面の他方が外気と接していることを特徴とする請求項１から１１のいずれか１項に記載の光学的分析用の測定デバイス。
【発明の詳細な説明】
【技術分野】
【０００１】
本発明は、光学的分析用の測定デバイスに関する。より具体的には、本発明は、励起波長および検出波長として短波長の光線を利用する光学的分析用の測定デバイスに関する。特に、本発明は、マイクロ流路デバイスに関する。
【背景技術】
【０００２】
従来から、短波長の光線を用いて細胞または遺伝子に関する測定が行われており、それらに使用する機器についても開発研究が進められている。例えば、日本国特開２０１０−１８１３４９号公報（特許文献１）には、従来のフローサイトメーターおよびセルソーターの有していたバイオハザード上の課題を解決する液体中微粒子解析装置について開示されている。【０００３】
日本国特開２０１０−１８１３４９号公報（特許文献１）の液体中微粒子解析装置は、微粒子を含む試料液を流すための流路を備えたフローセルを載置する手段と、フローセルの流路を流れる試料液に光を照射する手段と、試料液中の該粒子から発生する散乱光および／または蛍光を検出するための光検出器と、光検出器で検出した信号の強度にもとづいて該粒子を解析する手段とを備える液体中微粒子解析装置において、フローセルは平板状基板に流路が形成されたものであって、流路側面に反射面が形成されており、その反射面はフローセルの流路内で発生した光のうち基板面内方向に進行する光をフローセル表面の特定領域に導き、光検出器は特定領域から外部に出てきた光を検出するものである。【０００４】
【特許文献１】日本国特開２０１０−１８１３４９号公報
【発明の開示】
【発明が解決しようとする課題】
【０００５】
日本国特開２０１０−１８１３４９号公報には、フローセルの平板状基板に反射面を形成することで側方の信号光を検出可能としたことが記載されている。しかしながら、当該フローセルは樹脂製であるため、短波長レーザーを透過しない。このため、短波長レーザーを用いた透過測定ができない点で問題となる。【０００６】
一方、短波長の光線を用いた励起および透過測定を行うための光学的分析用測定デバイスの部材として最適なものの材質は、シリカガラス（石英ガラス）等である。したがって、光学的観点からは、光学的分析用測定デバイスの部材全てをシリカガラス等で製造することが好ましい。【０００７】
しかしながら、石英ガラスは、樹脂に比べ非常に堅く軟化点もきわめて高い。したがって、とりわけマイクロ流路デバイスの平板状基板部材としては、石英ガラスは、高精度の流路を効率よく製造することが非常に困難である点、および、製造コストが増加する点で問題があった。【０００８】
本発明の目的は、最適条件で測定でき、高精度でありながら比較的容易、かつ低コストで製造できる光学的分析用の測定デバイスを提供することである。
【課題を解決するための手段】
【０００９】
本発明の測定デバイスは、樹脂部材と、樹脂部材に取付けた４５０ｎｍ以下の波長の光を透過する透明部材と、樹脂部材を通って透明部材と接触しながら通過する流路と、を含むものである。
透明部材は、４１０ｎｍ以下の波長の光を透過するものであることがより好ましい。さらに、透明部材は無色透明であることが好ましい。
透明部材の素材としては、無機物および有機物を問わない。また、１つの測定デバイスの中で、透明部材として、無機物部材および有機物部材のいずれか一方が単独で用いられてもよいし、両方が組み合わされて用いられてもよい。無機物部材と有機物部材とが組み合わされる場合、組み合わせ態様の一例として、１つの検出部において、入射側と検出器側とでそれぞれ異なる素材を用いることができる。組み合わせ態様の他の一例として、１つの測定デバイスに複数の検出部を設け、検出部に応じて異なる素材を用いることもできる。【００１０】
有機物である透明部材は、すなわち、透明樹脂部材である。透明樹脂部材は、２２０ｎｍ以上４５０ｎｍ以下の波長の光に対する透過率がたとえば５０％以上、好ましくは８０％以上である。【００１１】
（１）
一局面に従う光学的分析用の測定デバイスは、樹脂部材と、樹脂部材に取付けた無機物部材と、樹脂部材を通って無機物部材と接触しながら通過する流路と、を含むものである。【００１２】
この場合、流路における検出領域の少なくとも一部に無機物部材を用いることで、流路全体を無機物部材で形成した場合と比較して、低コストでかつ容易に光学的分析用の測定デバイスを実現することが出来る。また、透過測定を確実に実施することができる。【００１３】
一局面に従う光学的分析用の測定デバイスにおいて、樹脂部材は、平板状の樹脂基板であってよい。
無機物部材は、樹脂部材の一部に形成された嵌込孔または切欠部に嵌めこまれることによって取り付けられてよい。さらに、無機物部材と樹脂部材との組み合わせ形状が平板状となるように、無機部材が取り付けられることが好ましい。この場合、測定デバイスの外表面において、無機物部材と樹脂部材との境界における表面段差がないこと、または表面段差が０μｍ超１００μｍ以下程度であることが好ましい。【００１４】
樹脂部材には、流路が設けられている。樹脂部材における流路を構成する面の少なくともいずれかに、無機物部材の表面の少なくとも一部の面が連なることにより、双方の面が一体となって流路空間を規定してよい。以下において、流路空間を規定する無機部材の表面の少なくとも一部の面を、無機物部材の流路側表面と記載する。
無機物部材の表面には、凹部が形成されていてもよい。この場合、無機物部材における凹部表面は、樹脂部材における流路を構成する面の少なくともいずれかに連なることにより、当該流路を構成する面と一体となって流路空間を規定する。【００１５】
無機物部材の流路側表面は、それに連なる樹脂部材の表面と面一（つまり段差が０μｍ）、または、当該樹脂部材の表面と０μｍ超１００μｍ以下、好ましくは０μｍ超５０μｍ以下の段差を有することを許容する。
樹脂部材表面と無機物部材表面との段差が上記範囲内であることにより、流路内は、樹脂部材と無機物部材との境界近傍であっても、液流が乱れにくい。したがって、液流が層流である場合も、層流状態を好ましく維持することができる。【００１６】
無機物部材は、無機物部材の表面と樹脂部材の表面とがほぼ隙間なく接するように、樹脂部材に取り付けられていることが好ましい。すなわち、無機物部材を樹脂部材に嵌め込むための嵌め込み孔または切欠部は、無機物部材の形状に対応する形状となるように形成されることが好ましい。【００１７】
（２）
第２の発明に係る光学的分析用の測定デバイスは、一局面に従う光学的分析用の測定デバイスにおいて、無機物部材は、テーパ部を有するものである。【００１８】
この場合、無機物部材のテーパ部により樹脂部材に確実に無機物部材を嵌合わせ、一体に取付けることができる。特に、樹脂部材と無機物部材との隙間を限りなく零にすることができ、流路を通過する媒体の漏れを防止することができる。【００１９】
第２の発明に係る光学的分析用の測定デバイスにおいて、テーパ部を有する無機物部材は、デバイスの厚み方向に軸心を有する形状であることが好ましい。テーパ部は、軸心に対して傾斜する傾斜面を有する。テーパ部を有する無機物部材は、たとえば切頭錐体の形状であってもよいし、柱体部と当該柱体部から軸方向に漸次先細に形成された切頭錐体部との組み合わせ形状であってもよい。【００２０】
無機物部材において、軸心に対するテーパ部傾斜面の角度は、理論的には、０度超９０度未満の範囲内である。
樹脂部材への嵌め込みやすさを考慮すると、無機物部材のテーパ部傾斜面の角度はある程度以上であることが好ましく、このような観点からは、当該傾斜面の角度はたとえば０度超９０度未満であってよい。
また、樹脂部材への嵌め込み後の抜出防止を考慮すると、当該傾斜面の角度は小さい方が好ましい傾向にあり、このような観点からは、たとえば、０度超６０度以下、好ましくは５度以上３０度以下であってよい。【００２１】
（３）
第３の発明に係る光学的分析用の測定デバイスは、一局面または第２の発明に係る光学的分析用の測定デバイスにおいて、無機物部材は、断面が円形である。【００２２】
この場合、無機物部材が断面円形であるので、プラスチック樹脂部材に対して取付けやすい。特に、円周にテーパ部を有する場合、円周に圧力が均一にかかるので、隙間の発生を防止し、流路を通過する媒体の漏れを確実に防止することができる。【００２３】
（４）
第４の発明に係る光学的分析用の測定デバイスは、一局面または第２の発明に係る光学的分析用の測定デバイスにおいて、無機物部材は、断面が矩形状である。【００２４】
この場合、無機物部材が矩形状からなるので、流路の方向性を調整することが容易となる。その結果、樹脂部材と無機物部材との流路を確実に調整することができる。【００２５】
（５）
第５の発明に係る光学的分析用の測定デバイスは、一局面から第４の発明のいずれかに係る光学的分析用の測定デバイスにおいて、無機物部材は、樹脂部材と一体成形されたものである。【００２６】
この場合、樹脂部材の射出成形時に無機物部材の周囲を溶融樹脂が取り囲み、硬化することによって、樹脂が無機物部材と一体に成形される。このため、光学的分析用の測定デバイスの大量生産を安価に実現することができる。【００２７】
（６）
第６の発明に係る光学的分析用の測定デバイスは、第５の発明に係る光学的分析用の測定デバイスにおいて、無機物部材は、樹脂部材から抜出防止の凸形状を有するものである。【００２８】
この場合、無機物部材は、樹脂部材からの抜出防止のための凸形状部を有するので、確実に樹脂部材に無機物部材を取付けることができる。また、無機物部材が樹脂部材から抜出することを防止できるので、安定した光学的分析用の測定デバイスを形成することができる。【００２９】
無機物部材における抜出防止のための凸形状部は、無機物部材の樹脂部材に接触する面から突出する形状であればよい。【００３０】
（７）
第７の発明に係る光学的分析用の測定デバイスは、第５または第６の発明に係る光学的分析用の測定デバイスにおいて、無機物部材は、樹脂部材からの抜出防止のための算術平均粗さがＲａ０．１μｍ以上１μｍ以下の面を有するものである。【００３１】
つまり、無機物部材は、樹脂部材に接触する面が抜出防止面として形成されていることが好ましい。抜出防止面は、具体的には、０．１μｍ以上１μｍ以下、好ましくは、０．２μｍ以上１μｍ以下の算術平均粗さＲａを有する。
抜出防止面には、無機物部材の抜出を防止するための表面加工がされていてよい。たとえば、抜出しを防止すべき方向（具体的には、無機物部材の軸体と平行な方向、または測定デバイスの厚み方向）と非平行に、筋目などの滑り止め模様が形成されてよい。【００３２】
この場合、無機物部材は、樹脂部材からの抜出防止のための算術平均粗さＲａが０．１μｍ以上１μｍ以下の面を有するので、無機物部材が、樹脂部材から抜出することを防止できる。
なお、本明細書において、算術平均粗さＲａは、ＪＩＳ  Ｂ  ０６０１：２００１に定められた規格に基づく。【００３３】
（８）
第８の発明に係る光学的分析用の測定デバイスは、一局面から第７の発明のいずれかに係る光学的分析用の測定デバイスにおいて、樹脂部材は、第１樹脂部材および第２樹脂部材からなり、無機物部材は、第１樹脂部材に取付けられた第１無機物部材と、第２樹脂部材に取付けられた第２無機物部材とからなり、流路は、第１樹脂部材に形成された凹部と、第１無機物部材、第２樹脂部材および第２無機物部材の面とが組み合わせられることにより形成されたものである。【００３４】
この場合、第１無機物部材が取付けられた第１樹脂部材と、第２無機物部材が取付けられた第２樹脂部材とを張り合わせることで、容易に流路を形成することができる。好ましくは、流路の断面は矩形状である。【００３５】
第２樹脂部材に取り付けられた無機物部材は、第１樹脂部材と接触しないように配設されることが好ましい。
無機物部材と樹脂部材との間の固定は、樹脂部材と樹脂部材との間の固定より弱い傾向にある。第２樹脂部材に取り付けられた無機物部材が、第１樹脂部材と接触しないように配設されることにより、検出部における流路の境界で相対的に弱い固定部分が生じることを回避することができる。このため、流路から液体の漏れを防止することができる。【００３６】
なお、本発明の測定デバイスは、光学測定に使用する波長の光が短波長である場合に特に有用である。本発明における短波長とは、具体的には、４５０ｎｍ以下、好ましくは４１０ｎｍ以下の波長である。【００３７】
本発明に係る光学的分析用の測定デバイスにおいて、無機物部材は、光学測定に使用する波長の光に対する透過率が例えば６０％以上である。【００３８】
なお、本発明において、上記の透過率は、アジレントテクノロジー株式会社製  UV-Vis-NIR 分光光度計  Cary 6000iで測定することにより得られる。【００３９】
（９）
第９の発明に係る光学的分析用の測定デバイスは、一局面から第８の発明のいずれかに係る光学的分析用の測定デバイスにおいて、無機物部材は、光学的測定に使用する波長の光に対する透過率が８０％以上であることがより好ましい。【００４０】
この場合、無機物部材は、光学的測定に使用する光の波長に対する透過率が８０％以上であるので、透過測定を確実に実施することができる。【００４１】
（１０）
第１０の発明に係る光学的分析用の測定デバイスは、一局面から第９の発明のいずれかに係る光学的分析用の測定デバイスにおいて、無機物部材は、シリカガラスである。【００４２】
この場合、無機物部材は、シリカガラスであるので、透過測定を確実に実施することができる。【００４３】
（１１）
第１１の発明に係る光学的分析用の測定デバイスは、一局面から第１０の発明のいずれかに係る光学的分析用の測定デバイスにおいて、無機物部材は、１８０ｎｍ以上１０００ｎｍ以下の波長の光を９０％以上透過し、且つ１０００ｎｍ以上２５００ｎｍ以下の波長の光を８０％以上透過する合成シリカガラスである。【００４４】
この場合、無機物部材は、１８０ｎｍ以上１０００ｎｍ以下の波長の光を９０％以上透過し、且つ１０００ｎｍ以上２５００ｎｍ以下の波長の光を８０％以上透過する合成シリカガラスであるので、さらに透過測定を確実に実施することができる。【００４５】
（１２）
第１２の発明に係る光学的分析用の測定デバイスは、一局面から第１１の発明のいずれかに係る光学的分析用の測定デバイスにおいて、無機物部材は、平行な２つの鏡面を持ち、且つ鏡面の一方が流路と接すると共に鏡面の他方が外気と接している。【００４６】
この場合、無機物部材は、平行な２つの鏡面を持ち、且つ鏡面の一方が流路と接すると共に鏡面の他方が外気と接しているので、透過測定を確実に実施することができる。
【図面の簡単な説明】
【００４７】
【図１】本発明に係る光学的分析用の測定デバイスの一例を示す模式図である。
【図２】図１の測定デバイスのシリカガラス部の模式的拡大図である。
【図３】図１の測定デバイスのシリカガラス部の模式的拡大図である。
【図４】他の例に係る光学的分析用の測定デバイスの一例を示す模式図である。
【図５】図４の測定デバイスのシリカガラス部の模式的拡大図である。
【図６】図４の測定デバイスのシリカガラス部の模式的拡大図である。
【図７】さらに他の例に係る光学的分析用の測定デバイスの一例を示す模式図である。
【図８】図７の測定デバイスのシリカガラス部の模式的拡大図である。
【図９】図７の測定デバイスのシリカガラス部の模式的拡大図である。
【図１０】さらに他の例に係る光学的分析用の測定デバイスの一例を示す模式図である。
【図１１】測定デバイスを形成する際のシリカガラス部のさらに他の例を示す模式図である。
【図１２】測定デバイスを形成する際のシリカガラス部のさらに他の例を示す模式図である。
【図１３】第２の実施の形態に係る測定デバイスの一例を示す模式図である。
【図１４】図１３の測定デバイスの合成シリカガラスの模式的拡大図である。
【図１５】図１３の測定デバイスの他の例を示す模式図である。
【図１６】図１３の測定デバイスのさらに他の例を示す模式図である。
【図１７】測定デバイスのさらに他の例である。
【図１８】測定デバイスのさらに他の例である。
【図１９】測定デバイスのさらに他の例である。
【図２０】測定デバイスのさらに他の例である。
【図２１】図１３から図２０に示した測定デバイスに適用可能な例を示す模式図である。
【図２２】図１３から図２１に示した測定デバイスに適用可能な例を示す模式図である。
【図２３】図５および図６の他の例である。
【図２４】図２の他の例である。
【図２５】図３の他の例である。
【図２６】測定デバイスのさらに他の例である。
【符号の説明】
【００４８】
１００  測定デバイス
１１１  第１平板
１１２  第２平板
３００，３１０，３２０，３３０，３６０  シリカガラス部、合成シリカガラス部
２２０，２４０  流路
３４６，３５６  凸部
３０１，３０２，３１１，３１２，３２１，３２２，３３１，３３２，３４１，３５１，３６１，３６４，３８１，３８２，３７１，３９０，３０１ａ，３０２ａ  シリカガラスチップ、合成シリカガラスチップ
【発明を実施するための形態】
【００４９】
以下、本発明に係る実施の形態において図面を用いて説明する。なお、以下、第１の実施の形態においては、無機物部材の一例としてシリカガラスを用いた場合について説明を行い、第２の実施の形態においては、無機物部材の一例として合成シリカガラスを用いた場合について説明を行う。
【００５０】
（第１の実施の形態）
図１は、第１の実施の形態に係る測定デバイス（マイクロ流路デバイス）の一例を示す模式図であり、図２および図３は図１の測定デバイスのシリカガラス部の模式的拡大図である。
【００５１】
図１（ａ）は測定デバイスを上から見た平面視を示し、図１（ｂ）は図１（ａ）のＡ−Ａ矢視断面を示す。図２（ａ）および図３（ａ）はシリカガラス部を構成するシリカガラスチップの上面視を示し、図２（ｂ）および図３（ｂ）はシリカガラスチップの側面視を示し、図２（ｃ）および図３（ｃ）はシリカガラスチップの底面（下面）視を示す。
なお、本発明において、シリカガラスチップの上面および下面とは、シリカガラスチップを構成する面のうちの対向する一対の面であって、かつ、シリカガラスチップがマイクロ流路デバイスに組み込まれ測定に供される場合に、測定光の入射面となる面およびその対向面からなる一対の面をいう。
【００５２】
（測定デバイスの構成）
図１に示すように、測定デバイス１００は、第１平板１１１および第２平板１１２を張り合わせて形成される。第１平板１１１および第２平板１１２は、後述するシリカガラス部３００を除いてプラスチック樹脂で構成される。
また、測定デバイス１００は、主に送液合流部、検出部、および排出部の３つの領域を含む。
【００５３】
測定デバイス１００は、送液合流部の表面に、第１液導入口（インレット）２１０および第２液導入口（インレット）２３０を有する。第１液導入口２１０と第２液導入口２３０は、流路（チャンネル）２２０に連通し、流路２２０は、さらに流路２４０に連通する。
【００５４】
第１液導入口２１０および第２液導入口２３０は、第１平板１１１に形成される。第１液導入口２１０および第２液導入口２３０は、第１平板１１１の厚み方向に延在する貫通孔に通じる。一方、それぞれの貫通孔と連通し、かつ、第１液導入口２１０からの液流と第２液導入口２３０からの液流とが合流するデザインとなるように、流路２２０、２４０の凹部が第２平板１１２表面に溝状に形成される。さらに、第１平板１１１と第２平板１１２とが張り合わせられることにより、流路２２０、２４０が形成される。
なお、流路２４０は、検出部に近づくにつれて管路断面が小さくなるよう形成される。
【００５５】
測定デバイス１００の検出部では、第１平板１１１および第２平板１１２に、シリカガラス部３００を嵌合するための嵌合孔２５０，２５１が、流路２４０に連通するように形成されている。そして、当該嵌合孔２５０，２５１に、シリカガラス部３００を構成するシリカガラスチップ３０１およびシリカガラスチップ３０２がそれぞれ嵌め込まれる。これにより、シリカガラスチップ３０１およびシリカガラスチップ３０２がそれぞれ第１平板１１１および第２平板１１２に取付けられる。
【００５６】
検出部の下流側の排出部では、第１平板１１１と第２平板１１２との両表面に、互いに対応する位置に凹部が形成されており、両凹部が流路２４０の一部を構成する。測定デバイス１００の側面における流路２４０の終端は、排出口（アウトレット）２４５を構成する。
【００５７】
（シリカガラスチップ）
図２および図３を用いてシリカガラスチップの説明を行う。
図２に示すように、シリカガラスチップ３０１は、切頭逆円錐の形状を有する。シリカガラスチップ３０１の長さＬ１は１ｍｍであり、小直径Ｒ２は０．２ｍｍであり、シリカガラスチップ３０１の軸心方向（すなわち図２（ｂ）の上下方向）に対する側面のテーパ傾斜θ１は、例えば３０度である。
【００５８】
図３に示すように、シリカガラスチップ３０２は、切頭円錐形状の形状を有している。シリカガラスチップ３０２の長さＬ２は０．８７５ｍｍであり、小直径Ｒ２は０．２ｍｍであり、シリカガラスチップ３０２の軸心方向（すなわち図３（ｂ）の上下方向）に対する側面のテーパ傾斜θ１は、例えば３０度である。
【００５９】
シリカガラスチップ３０１，３０２の上下面は、測定光の照射を受ける。このため、当該上下面の算術平均粗さＲａは、たとえば０．２μｍ以下、好ましくは０．１μｍ以下、さらに好ましくは０．０５μｍ以下である。一方側面は、上下面より粗い表面で形成されている。より粗い表面で形成されている側面の算術平均粗さＲａは、たとえば０．１μｍ以上１μｍ以下、好ましくは０．２μｍ以上１μｍ以下、さらに好ましくは、０．３μｍ以上０．７μｍ以下である。これにより、シリカガラスチップ３０１，３０２の、嵌合孔２５０，２５１からの抜出防止を図ることができる。
【００６０】
図２に示すシリカガラスチップ３０１は、第１平板１１１の嵌合孔２５０に圧入される。その結果、第１平板１１１は、嵌合孔２５０とシリカガラスチップ３０１との隙間が形成されず、かつ、シリカガラスチップ３０１の小直径面と第１平板１１１の表面との高低差が０μｍ以上５０μｍ以下の範囲内となるように形成される。第１平板１１１の嵌合孔２５０とシリカガラスチップ３０１との隙間が形成されないことにより、流路２４０内の液体の漏れが発生しない。さらに、シリカガラスチップ３０１の小直径面と第１平板１１１の表面との高低差が０μｍ以上５０μｍ以下の範囲内であることにより、流路２４０内の液流を層流として維持することができる。
【００６１】
同様に、図３に示すシリカガラスチップ３０２は、第２平板１１２の嵌合孔２５１に圧入される。その結果、第２平板１１２は、嵌合孔２５１とシリカガラスチップ３０２との隙間が形成されず、かつ、シリカガラスチップ３０２の小直径面と第２平板１１２の表面に形成された流路２４０の凹部底面との高低差が０μｍ以上５０μｍ以下の範囲内となるように形成される。第２平板１１２の嵌合孔２５１とシリカガラスチップ３０２との隙間が形成されないことにより、流路２４０内の液体の漏れが発生しない。さらに、シリカガラスチップ３０２の小直径面と第２平板１１２の表面に形成された流路２４０の凹部底面との高低差が０μｍ以上５０μｍ以下の範囲内であることにより、流路２４０内の液流を層流として維持することができる。
【００６２】
（測定デバイス中の液体の流れ）
第１液導入口２１０から導入された第１液が流路２２０を通過し、第２液導入口２３０から導入された第２液が別の流路２２０を通過する。流路２２０を通過した第１液の液流と第２液の液流とは、流路２２０と流路２４０との境界で合流し、流路２４０内で層流を形成する。
【００６３】
続いて、第１液と第２液との層流は検出部に導かれ、層流状態を維持したままシリカガラス部３００を通過し、光学的測定に供された後、排出部の排出口２４５から排出される。
【００６４】
（他の例）
続いて、第１の実施の形態にかかる測定デバイスの他の例について説明を行う。なお、第１の実施の形態において説明した部分と同じ部分については同符号を記載し、説明を省略する。
【００６５】
図４は第１の実施の形態にかかる測定デバイスの他の例を示す模式図であり、図５および図６は図４の測定デバイスのシリカガラス部の模式的拡大図である。
【００６６】
図４（ａ）は測定デバイスを上から見た平面視（上面視）を示し、図４（ｂ）は図４（ａ）のＡ−Ａ矢視断面を示す。図５（ａ）および図６（ａ）はシリカガラスチップの上面視を示し、図５（ｂ）および図６（ｂ）ならびに図５（ｄ）および図６（ｄ）はシリカガラスチップの側面視を示し、図５（ｃ）および図６（ｃ）はシリカガラスチップの底面視を示す。
【００６７】
図４に示すように、測定デバイス１００は、上面視で円形のシリカガラス部３００の代わりに、上面視で四角形のシリカガラス部３１０を備える。
【００６８】
（シリカガラスチップ）
ここで、図５および図６を用いてシリカガラスチップの説明を行う。
図５に示すように、シリカガラスチップ３１１は、溝が設けられた六面体の形状を有する。当該六面体は、上面（図５（ａ）参照）と下面（図５（ｃ）参照）とが大きさの異なる長方形で構成され、対向する２対の側面のうち一方の１対の側面が同形の台形（図５（ｂ）参照）で構成され、他方の１対の側面が同形の長方形（図５（ｄ）参照）で構成される。そして、シリカガラスチップ３１１の下面には、幅Ｈ３の溝が形成されている。これにより、他方の一対の側面の下部が幅Ｈ３の矩形状の切欠きを有する（図５（ｄ）参照）。シリカガラスチップ３１１の長さＬ１１は１ｍｍであり、幅Ｈ１は４ｍｍであり、幅Ｈ２は２ｍｍである。また、溝幅Ｈ３は、０．１９ｍｍである。また、シリカガラスチップ３１１の軸心方向（すなわち図５（ｂ）の上下方向）に対する側面のテーパ傾斜θ１は、例えば３０度である。
【００６９】
図６に示すように、シリカガラスチップ３１２は、六面体の形状を有する。当該六面体は、上面（図６（ａ）参照）と下面（図６（ｃ）参照）とが大きさの異なる長方形で構成され、対向する２対の側面のうち一方の１対の側面が同形の台形（図６（ｂ）参照）で構成され、他方の１対の側面が同形の長方形（図６（ｄ）参照）で構成される。シリカガラスチップ３１２の長さＬ１２は０．８７５ｍｍであり、幅Ｈ２は２ｍｍである。また、シリカガラスチップ３１２の軸心方向（すなわち図６（ｂ）の上下方向）に対する側面のテーパ傾斜θ１は、例えば３０度である。
【００７０】
図５に示すシリカガラスチップ３１１は、第１平板１１１の嵌合孔２６０に圧入される。その結果、第１平板１１１は、嵌合孔２６０とシリカガラスチップ３１１との隙間が形成されず、シリカガラスチップ３１１の下面と第１平板１１１の表面との高低差が０μｍ以上５０μｍ以下の範囲内となるように形成される。第１平板１１１の嵌合孔２６０とシリカガラスチップ３１１との隙間が形成されないことにより、流路２４０内の液体の漏れが発生しない。さらに、シリカガラスチップ３１１の下面と第１平板１１１の表面との高低差が０μｍ以上５０μｍ以下の範囲内であることにより、流路２４０内の液流を層流として維持することができる。
【００７１】
図６に示すシリカガラスチップ３１２は、第２平板１１２の嵌合孔２６１に圧入される。その結果、第２平板１１２は、嵌合孔２６１とシリカガラスチップ３１２との隙間が形成されず、かつ、シリカガラスチップ３１２の上面と第２平板１１２の表面に形成された流路２４０の凹部底面との高低差が０μｍ以上５０μｍ以下の範囲内となるように形成される。第２平板１１２の嵌合孔２６１とシリカガラスチップ３１２との隙間が形成されないことにより、流路２４０内の液体の漏れが発生しない。さらに、シリカガラスチップ３１２の上面と第２平板１１２の表面に形成された流路２４０の凹部底面との高低差が０μｍ以上５０μｍ以下の範囲内であることにより、流路２４０内の液流を層流として維持することができる。
【００７２】
なお、測定デバイス１００において、第２平板１１２の嵌合孔２６１には、シリカガラスチップ３１２全体が圧入されているとともに、第１平板１１１との張り合わせによってシリカガラスチップ３１１の一部も圧入される。これにより、嵌合孔２６１内において、シリカガラスチップ３１２の上面とシリカガラスチップ３１１の下面とが当接する。
【００７３】
（さらに他の例）
続いて、第１の実施の形態にかかる測定デバイスのさらに他の例について説明を行う。なお、上記の実施の形態において説明した部分と同じ部分については同符号を記載し、説明を省略する。
【００７４】
図７は第１の実施の形態にかかる測定デバイスのさらに他の例を示す模式図であり、図８および図９は図７の測定デバイスのシリカガラス部の模式的拡大図である。
【００７５】
図７（ａ）は測定デバイスを上から見た平面視（上面視）を示し、図７（ｂ）は図７（ａ）のＡ−Ａ矢視断面を示す。図８（ａ）および図９（ａ）はシリカガラスチップの上面視を示し、図８（ｂ）および図９（ｂ）ならびに図８（ｄ）および図８（ｄ）はシリカガラスチップの側面視を示し、図８（ｃ）および図９（ｃ）はシリカガラスチップの底面視を示す。
【００７６】
図７に示すように、測定デバイス１００は、上面視で円形のシリカガラス部３００の代わりに、上面視で四角形のシリカガラス部３２０を備える。
【００７７】
（シリカガラスチップ）
ここで、図８および図９を用いてシリカガラスチップの説明を行う。
図８に示すように、シリカガラスチップ３２１は、溝が設けられた直方体の形状を有する。当該直方体は、下面に幅Ｈ３の溝が形成されている（図８（ｃ）参照）。これにより、一対の側面の下部が幅Ｈ３の矩形状の切欠きを有する（図８（ｄ）参照）。シリカガラスチップ３２１の長さＬ１１は１ｍｍであり、幅Ｈ１は４ｍｍであり、幅Ｈ２は２ｍｍであり、溝の幅Ｈ３は０．１９ｍｍである。
【００７８】
同様に、図９に示すように、シリカガラスチップ３２２は、直方体の形状を有する。シリカガラスチップ３２２の長さＬ１２は０．８７５ｍｍである。
【００７９】
図８に示すシリカガラスチップ３２１は、第１平板１１１の嵌合孔２７０に圧入される。その結果、第１平板１１１は、嵌合孔２７０とシリカガラスチップ３２１との隙間が形成されず、シリカガラスチップ３２１の下面と第１平板１１１の表面との高低差が０μｍ以上５０μｍ以下の範囲内となるように形成される。第１平板１１１の嵌合孔２７０とシリカガラスチップ３２１との隙間が形成されないことにより、流路２４０内の液体の漏れが発生しない。さらに、シリカガラスチップ３２１の下面と第１平板１１１の表面との高低差が０μｍ以上５０μｍ以下の範囲内であることにより、流路２４０内の液流を層流として維持することができる。
【００８０】
図９に示すシリカガラスチップ３２２は、第２平板１１２の嵌合孔２７１に圧入される。その結果、第２平板１１２は、嵌合孔２７１とシリカガラスチップ３２２との隙間が形成されず、かつ、シリカガラスチップ３２２の上面と第２平板１１２の表面に形成された流路２４０の凹部底面との高低差が０μｍ以上５０μｍ以下の範囲内となるように形成される。第２平板１１２の嵌合孔２７１とシリカガラスチップ３２２との隙間が形成されないことにより、流路２４０内の液体の漏れが発生しない。さらに、シリカガラスチップ３２２の上面と第２平板１１２の表面に形成された流路２４０の凹部底面との高低差が０μｍ以上５０μｍ以下の範囲内であることにより、流路２４０内の液流を層流として維持することができる。
【００８１】
なお、測定デバイス１００において、第２平板１１２の嵌合孔２７１には、シリカガラスチップ３２２全体が圧入されているとともに、第１平板１１１との張り合わせによってシリカガラスチップ３２１の一部も圧入される。これにより、嵌合孔２７１内において、シリカガラスチップ３２２の上面とシリカガラスチップ３２１の下面とが当接する。
【００８２】
（さらに他の例）
続いて、第１の実施の形態にかかる測定デバイスのさらに他の例について説明を行う。なお、上記の実施の形態において説明した部分と同じ部分については同符号を記載し、説明を省略する。
【００８３】
図１０は測定デバイスのさらに他の例を示す模式図である。
図１０に示すように、検出部の一部および排出部をシリカガラス部３３０で形成してもよい。
この場合、第１平板１１１の切欠部２８０に、流路２４０の凹部が形成されたシリカガラスチップ３３１を圧入し、第２平板１１２の切欠部２８１に、流路２４０の凹部が形成されたシリカガラスチップ３３２を圧入し、第１平板１１１と第２平板１１２とを貼り合わせて測定デバイス１００を形成する。
【００８４】
（さらに他の例）
続いて、図１１および図１２は、測定デバイス１００を形成する際のシリカガラス部のさらに他の例を示す模式的断面図である。
【００８５】
シリカガラスチップ３４１の形状は段付き円筒形であり、図１１に示す断面形状を有する。図１１は、シリカガラスチップ３４１の軸方向に平行な面で切断した場合の断面図である。当該段付き円筒は、異なる直径および異なる高さをそれぞれ有する３種の円筒部から構成される。具体的には、直径ＬＦ５、高さＬ８を有する円筒部、直径ＬＦ６、高さＬ９を有する円筒部、および直径ＬＦ７、高さＬ１０を有する円筒部から構成される。なお、図１１に示すシリカガラスチップ３４１の上面３４７および下面３４８は、レーザの照射を受ける。このため、上面３４７および下面３４８の表面粗さＲａはたとえば０．２μｍ以下、好ましくは０．１μｍ以下、さらに好ましくは、０．０５μｍ以下である。
【００８６】
シリカガラスチップ３５１の形状は、段付き円筒部と切頭逆円錐部とが組み合わされた形状であり、図１２に示す断面形状を有する。図１２は、シリカガラスチップ３５１の軸方向に平行な面で切断した場合の断面図である。当該段付き円筒部は、異なる直径および異なる高さをそれぞれ有する２種の円筒部から構成される。具体的には、直径ＬＦ６、高さＬ９を有する円筒部、および直径ＬＦ７、高さＬ１０を有する円筒部から構成される。切頭逆円錐部は、小直径面の直径が直径ＬＦ５、大直径面の直径がＬＦ６、高さがＬ８である。なお、図１２に示すシリカガラスチップ３５１の上面３５７および下面３５８は、レーザの照射を受ける。このため、上面３５７および下面３５８の表面粗さＲａはたとえば０．２μｍ以下、好ましくは０．１μｍ以下、さらに好ましくは、０．０５μｍ以下である。
【００８７】
測定デバイスが図１１に示すシリカガラスチップ３４１および／または図１２に示すシリカガラスチップ３５１を含む場合、第１平板１１１および第２平板１１２は、それぞれ、インサート成形により、シリカガラスチップ３４１またはシリカガラスチップ３５１と樹脂とを一体に成形することにより製造する。
【００８８】
なお、第１平板１１１および第２平板１１２と、シリカガラスチップ３４１およびシリカガラスチップ３５１との組み合わせは、任意である。シリカガラスチップ３４１が第２平板１１２内に組み合わされる場合、図１１に示す態様とは上下方向が逆となるように組み合わされる。つまり、面３４８は常に流路側に面するように位置する。シリカガラスチップ３５１についても同様である。
【００８９】
また、図１１および図１２に示すシリカガラスチップ３４１，３５１には、それぞれ、最も大きい直径ＬＦ６を有する円筒部の周囲が、凸部３４６，３５６を構成している。このため、インサート成形時において、凸部３４６，３５６の周囲に溶融樹脂が回りこむ。したがって、第１平板１１１および第２平板１１２において、凸部３４６，３５６は、シリカガラスチップ３４１，３５１の抜出防止の役割を果たす。また、図１１および図１２に示す面３４５，３５５は、面３４７，３４８，３５７，３５８と同じ観点で、算術平均粗さＲａが０．２μｍ以下、好ましくは０．１μｍ以下、さらに好ましくは、０．０５μｍ以下であってよい。
【００９０】
（第２の実施の形態）
以下、第２の実施の形態に係る測定デバイスの一例について説明を行う。なお、第１の実施の形態に係る測定デバイス１００と同部材および同構造については、同一の符号を付し、説明を省略する。
【００９１】
第２の実施の形態に係る測定デバイスにおいては、シリカガラス部３００の代わりに、合成シリカガラス部３６０を使用する。
【００９２】
図１３は第２の実施の形態に係る測定デバイス１００の一例を示す模式図であり、図１４は、図１３の測定デバイス１００の合成シリカガラス部の模式的拡大図である。
【００９３】
図１３（ａ）は測定デバイスを上から見た模式的平面視（上面視）を示し、図１３（ｂ）は図１３（ａ）のＡ−Ａ線の模式的断面を示す。図１４（ａ）は合成シリカガラスチップ３６１の上面視を示し、図１４（ｂ）は側面視を示し、図１４（ｃ）は底面視を示す。
【００９４】
図１３に示すように、測定デバイス１００は、第１平板１１１および第２平板１１２を張り合わせて形成される。第１平板１１１および第２平板１１２は、第１の実施の形態と同様にプラスチック樹脂で構成される。
また、第１の実施の形態に係る測定デバイス１００と異なり、第２の実施の形態に係る測定デバイス１００は、送液合流部を有さない。
【００９５】
測定デバイス１００は、表面に液導入口（インレット）２１０および排出口（アウトレット）２４５を有する。液導入口２１０および排出口２４５は、流路（チャンネル）２４０に連通する。液導入口２１０および排出口２４５は、同じ形状を有する。
【００９６】
液導入口２１０および排出口２４５は、第１平板１１１に形成される。さらに、液導入口２１０および排出口２４５は、第１平板１１１の厚み方向に延在する貫通孔に通じる。一方、それぞれの貫通孔と連通するように、流路２４０の凹部が第２平板１１２表面に形成される。さらに、第１平板１１１と第２平板１１２とが張り合わせられることにより、流路２４０が形成される。
【００９７】
測定デバイス１００の検出部では、第１平板１１１および第２平板１１２に、合成シリカガラス部３６０（同一形状の一対の合成シリカガラスチップ３６１）を嵌合するための嵌合孔２９０，２９１が形成されている。そして、合成シリカガラスチップ３６１は、当該嵌合孔２９０，２９１に嵌合されることにより、第１平板１１１および第２平板１１２に取付けられる。
【００９８】
そして、第１平板１１１の嵌合孔２９０に嵌合された合成シリカガラスチップ３６１は、第２平板１１２と接触しないように配設される。このため、第２平板１１２の貼り合わせ面の全面が、当該貼り合わせ面と対向する第１平板１１１の貼り合わせ面に固定される。
【００９９】
（合成シリカガラスの説明）
ここで、図１４を用いて合成シリカガラスチップ３６１の説明を行う。
図１４に示すように、合成シリカガラスチップ３６１は、切頭逆円錐部３６２と円筒部３６３とが組み合わされた形状を有する。
合成シリカガラスチップ３６１の長さＬ１は０．８７５ｍｍであり、大直径Ｒ１は１ｍｍであり、流路２４０（図１３参照）の境界を構成する面の小直径Ｒ２は０．２ｍｍである。小直径Ｒ２は、流路２４０（図１３参照）の幅よりも小さく設定される。合成シリカガラスチップ３６１の軸心に対する、切頭逆円錐部３６２のテーパ傾斜θ２は、例えば４５度である。
【０１００】
また、合成シリカガラスチップ３６１の上面および下面は、鏡面で形成されている。合成シリカガラスチップ３６１の上面および下面とは、合成シリカガラスチップ３６１を構成する面のうちの対向する一対の面であって、かつ、合成シリカガラスチップ３６１がマイクロ流路デバイスに組み込まれ測定に供される場合に、測定光の入射面となる面およびその対向面からなる一対の面である。鏡面の算術平均粗さＲａは、０．１μｍ未満、好ましくは、０．０５μｍ以下である。
これに対して、合成シリカガラスチップ３６１の側面は、鏡面より粗い表面で形成されている。より粗い表面で形成されている側面は、少なくとも円筒部３６３の側面であればよく、円筒部３６３の側面と切頭逆円錐部３６２のテーパ面との両方であってもよい。より粗い表面の算術平均粗さＲａは、たとえば０．１μｍ以上１μｍ以下、好ましくは０．２ｍ以上１μｍ以下、さらに好ましくは０．３μｍ以上０．７μｍ以下である。これにより、合成シリカガラスチップ３６１の、嵌合孔２９０，２９１からの抜出防止を図ることができる。
【０１０１】
（他の例）
図１５は、図１３の測定デバイスの他の例を示す模式図である。図１５（ａ）は模式的平面視（上面視）を示し、図１５（ｂ）は図１５（ａ）のＡ−Ａ線の模式的断面を示す。
【０１０２】
図１５に示すように、第１平板１１１および第２平板１１２の間に、第３平板１１３を設けてもよい。この場合、第３平板１１３に矩形状の孔を形成し、第３平板の一方の面を第１平板１１１と張り合わせ、他方の面を第２平板と張り合わせることで、流路２４０を形成できる。流路２４０の深さが第３平板１１３の厚みと同じ常に一定であり、流路２４０の底面が第２平板１１２の表面によって構成されるため、流路２４０を精度よく容易に形成することができる。
【０１０３】
（さらに他の例）
図１６は、図１３の測定デバイスのさらに他の例を示す模式図である。図１６（ａ）は模式的平面視（上面視）を示し、図１６（ｂ）は図１６（ａ）のＡ−Ａ線の模式的断面を示す。
【０１０４】
図１６に示すように、第１平板１１１および第２平板１１２のいずれにも流路２４０の凹部を形成し、それぞれの凹部が合わさって一の流路空間を形成するように、第１平板１１１および第２平板１１２を貼り合わせることで、流路２４０を形成することができる。
【０１０５】
（さらに他の例）
図１７、図１８、図１９、図２０は、図１３から図１６に示した測定デバイスのさらに他の例を示す模式的断面図である。
【０１０６】
図１７に示すように、合成シリカガラスチップ３６１と流路２４０との間に、第１平板１１１または第２平板１１２の肉が測定に影響の無い厚みで設けられてもよい。この場合、たとえ嵌合孔と合成シリカガラスチップ３６１との間に隙間が存在していたとしても、その隙間と流路２４０とが連通することがない。したがって、流路内の液体の漏れを確実に回避することができる。
【０１０７】
また、図１８に示すように、第１平板１１１と第２平板１１２とにおいて、異なる形状および／または大きさの合成シリカガラスチップが用いられてよい。図１８では、第１平板１１１の嵌合孔に嵌合させた合成シリカガラスチップ３６１と比較して、第２平板１１２の嵌合孔に嵌合させた合成シリカガラスチップ３６４の方が大きい。具体的には、合成シリカガラスチップ３６１の最大径Ｒ１より、合成シリカガラスチップ３６４の最大径Ｒ３１の方が大きい。また、少なくとも合成シリカガラスチップ３６１の流路２４０側の面の最大径は、流路２４０の幅よりも小さい。同様に、合成シリカガラスチップ３６４の流路２４０側の面の最大径も、流路２４０の幅よりも小さくてよい。
【０１０８】
さらに、図１９に示すように、一対の合成シリカガラスチップ３８１，３８２が大きさの異なる円筒状であってもよい。つまり、図１９では、合成シリカガラスチップ３８１の最大径Ｒ１より、合成シリカガラスチップ３８２の最大径Ｒ４１の方が大きい。なお、図１９においては、流路の上側の合成シリカガラスチップ３８１の流路２４０側の面の最大径（Ｒ１と同じ）は、流路２４０の幅よりも小さく、合成シリカガラスチップ３８２の流路２４０側の面の最大径（Ｒ４１と同じ）は、流路２４０の幅より大きい。
しかしながら、この態様に限定されず、たとえば、合成シリカガラスチップ３８２の流路２４０側の面の最大径（Ｒ４１と同じ）も、流路２４０の幅より小さくてよい。また、合成シリカガラスチップ３８１，３８２の少なくとも一方または両方において、流路２４０側の面の最大径が流路２４０の幅と同じであってもよい。
【０１０９】
さらに、図２０に示すように、一対の合成シリカガラスチップ３７１が、切頭逆四角錐部と直方体部とが組み合わされた形状を有してもよい。合成シリカガラスチップ３７１において、Ｒ１は１ｍｍ、Ｒ２は０．２ｍｍ、Ｌ１は１ｍｍである。合成シリカガラスチップ３７１の軸心に対する切頭逆四角錐部の斜面の傾斜θ２は、例えば４５度である。
【０１１０】
（さらに他の例）
次いで、図２１は、図１３から図２０に示した測定デバイス１００に適用可能な例を示す模式図である。
【０１１１】
図２１に示すように、図１３から図２０に示す測定デバイス１００の流路２４０を３個並列に配設されるように構成されてもよい。この場合、測定デバイス１００を載置するスペースを小さくし、スループット性を向上させることが出来る。なお、図２１においては、流路２４０を３個並列配置することとしているが、この態様に限定されず、スループット性を考慮して当業者により適宜、他の任意の個数で流路２４０を並列配置させてよい。
【０１１２】
（さらに他の例）
次いで、図２２は、図１３から図２１に示した測定デバイス１００に適用可能な例を示す模式図である。
【０１１３】
図２２に示すように、図１３から図２１に示す測定デバイス１００の１本の流路２４０に対して、３つの合成シリカガラスチップをそれぞれ嵌合させる嵌合孔２９０を３箇所設けてもよい。
【０１１４】
この場合、同種の液体に対して同時に３回の測定を行うことが出来る。なお、図２２においては、合成シリカガラスチップを嵌合する嵌合孔を３個直列配置する例を挙げたが、この態様に限定されず、他の任意の個数で合成シリカガラスチップを嵌合する嵌合孔を直列配置させてもよい。
【０１１５】
また、図２３に示すように、流路を貫通形成したシリカガラスチップ３９０を用いてもよい。
さらに、図２４および図２５に示すように、図２および図３に示した切頭逆円錐形状のシリカガラスチップの代わりに、切頭逆四角錐形状のシリカガラスチップ３０１ａ，３０２ａを用いてもよい。
【０１１６】
（無機物部材の材質）
無機物部材の材質は、透明の無機物であれば特に限定されない。たとえば、透明の無機酸化物が挙げられる。透明の無機酸化物としては、ケイ素、亜鉛、アルミニウム、チタン、ジルコニウム、インジウムからなる群から選ばれる元素の酸化物が挙げられる。透明の無機物の具体例としては、ガラス、サファイア、およびダイアモンドなどが挙げられる。ガラスとしては、シリカガラス、一般ガラス、および光学用ガラスなどが挙げられる。シリカガラスとしては、合成物および天然物を含む。
【０１１７】
（有機物部材の材質）
上述の実施形態では、無機物部材を用いた例を示したが、本発明の測定デバイスは、当該無機物部材の代わりに有機物部材を用いてもよい。
有機物部材は、４５０ｎｍ以下、好ましくは４１０ｎｍ以下の波長の光を透過する紫外線透過性透明樹脂である。このような透明樹脂は、２２０ｎｍ以上４５０ｎｍ以下の波長の光を、例えば５０％以上、好ましくは８０％以上透過するものである。また、このような透明樹脂は、自家蛍光が少ないものであることが好ましい。具体的には、芳香族環を有しない樹脂であることが好ましい。
【０１１８】
より具体的には、紫外線透過性透明樹脂として、紫外線透過性エポキシ樹脂、および紫外線透過性環状オレフィン樹脂が挙げられる。
【０１１９】
紫外線透過性エポキシ樹脂としては、エポキシ樹脂、カルボン酸無水物硬化剤、及び硬化促進剤とを含む樹脂組成物の硬化物が挙げられる。この場合における硬化促進剤は、下記式（I）で表されるテトラアルキルホスホニウムジアルキルホスフェートである。
【０１２０】
【化１】
2013183290.tif 000003
【０１２１】
式（I）中、Ｒ１、Ｒ２、Ｒ３、Ｒ４、Ｒ５及びＲ６は、アルキル基又はヒドロキシル基を有するアルキル基である。これらアルキル基の炭素数は１以上８以下である。アルキル基は、直鎖状、分岐鎖状および脂環状を問わない。Ｒ１、Ｒ２、Ｒ３、Ｒ４、Ｒ５及びＲ６は、同一の基であっても異なる基であってもよい。
なお、式（I）で表される硬化促進剤の含有量は、エポキシ樹脂１００質量部に対して０．０１質量部以上１０質量部以下である。
【０１２２】
環状オレフィン系樹脂としては、環状オレフィン系樹脂と、数平均分子量が１００００以下である低分子量環状オレフィン系樹脂とを含む環状オレフィン系樹脂組成物の射出成形物が挙げられる。この場合における環状オレフィン系樹脂は、環状オレフィン成分を主鎖に含むポリオレフィン系樹脂である。たとえば、環状オレフィンの付加重合体およびその水素添加物、環状オレフィンとα−オレフィンとの付加共重合体およびその水素添加物、ならびに、環状オレフィンの開環、環状オレフィンの開環共重合体およびその水素添加物など、環状オレフィン成分を共重合成分として含む樹脂が挙げられる。
【０１２３】
なお、上記の場合の環状オレフィン系樹脂組成物は、環状オレフィン系樹脂１００質量部に対して低分子量環状オレフィン系樹脂を１質量部以上３０質量部以下含む。さらに、射出成形物は、紫外線の照射波長が５４４ｎｍ、蛍光波長５９０ｎｍにおける自家蛍光強度が１８０００以下である。
【０１２４】
上記の他にも、紫外線透過性透明樹脂としては、所望の特性を有する樹脂が当業者によって適宜選択される。たとえば、紫外線透過性アクリル樹脂および紫外線透過性フッ素樹脂などから選択されてもよい。
【０１２５】
（無機物部材と有機物部材との組み合わせの例）
図２６は、図１５に示した測定デバイスのさらに他の例を示す模式的断面図である。図２６の測定デバイスにおいては、第１平板１１１および第２平板１１２の間に、第３平板１１３が設けられる。
第１平板１１１には嵌合孔２９０が形成され、合成シリカガラスチップ３６１が嵌合させられている。第２平板１１２には嵌合孔２９５が形成され、円柱形状の紫外線透過性エポキシ樹脂チップ３６５が嵌合させられている。
第３平板１１３には矩形状の孔が形成され、第３平板の一方の面を第１平板１１１と張り合わせ、他方の面を第２平板と張り合わせることで、流路２４０が形成される。
【０１２６】
これによって、測定デバイスの検出部において、入射窓として合成シリカガラスチップ３６１、検出窓として紫外線透過性エポキシ樹脂チップ３６５を設けてそれぞれの特性を利用することができる。
このように無機物部材と有機物部材とを組み合わせることにより、たとえば、入射側では無機物部材による優れた光透過性を利用する一方、検出器側では有機物部材による優れた表面修飾多様性を利用する、というように、それぞれの特性を組み合わせて利用することが可能となる。
【０１２７】
（樹脂部材の材質）
樹脂部材の材質としては特に限定されず、当業者によって適宜選択される。好ましくは、透明樹脂である。樹脂部材の材質の例として、ポリスチレン、ポリエチレン、ポリ塩化ビニル、ポリプロピレン、ポリカーボネート、ポリエステル、ポリメチルメタクリレート、ポリビニルアセテート、ビニル−アセテート共重合体、スチレン−メチルメタクリレート共重合体、アクリロニトリル−スチレン共重合体、アクリロニトリル−ブタジエン−スチレン共重合体、ナイロン、ポリメチルペンテン、シリコン樹脂、アミノ樹脂、ポリスルフォン、ポリエーテルスルフォン、ポリエーテルイミド、フッ素樹脂、およびポリイミドなどが挙げられる。
【０１２８】
（流路表面改質処理）
透明部材および樹脂部材の流路側表面には、分析デバイスの用途、分析方法、および分析に供する液体の特性などによって、当業者によって適宜表面改質処理が行われてよい。表面改質処理によって、物理的、化学的および生化学的の少なくともいずれかの特性を付与することができる。具体的には、生理活性物質の固定化、機能性材料の固定化、官能基の導入、親水性付与、および疎水性付与などが挙げられる。
【０１２９】
以上のように、本実施の形態に係る光学的分析用の測定デバイス１００においては、検出部位の一部に、シリカガラス部３００，３１０，３２０，３３０および合成シリカガラス部３６０を用いることで、測定デバイス１００全体をシリカガラスで形成した場合と比較して、容易に低コスト化を図ることができる。
特に、本発明に係る光学的分析用の測定デバイス１００は、セルソータ、遺伝子検出チップ、たんぱく質検出チップ等として利用することができる。
【０１３０】
また、測定デバイス１００において、シリカガラス部３００，３１０，３２０，３３０および合成シリカガラス部３６０のテーパ傾斜により嵌合孔に確実にシリカガラス部３００，３１０，３２０，３３０および合成シリカガラス３６０を嵌合わせ、一体に取付けることができる。特に、第１平板１１１および第２平板１１２と、各シリカガラスチップ、合成シリカガラスチップとのそれぞれとの隙間を限りなく零にすることができ、流路２４０を通過する液体の漏れを防止することができる。
【０１３１】
また、シリカガラスチップ３０１，３０２，合成シリカガラスチップ３６１，３６４，３８１，３８２においては、断面が円形からなるので、円周側に圧力が均一にかかるので、隙間の発生を防止し、流路２４０を通過する液体の漏れを確実に防止することができる。また、シリカガラスチップ３１１，３１２，３２１，３２２，３３１，３３２，３７１においては、断面が矩形状であるので、流路２４０との方向性を調整することが容易となる。その結果、検出部における流路２４０を容易に形成することができる。
【０１３２】
また、シリカガラスチップ３４１およびシリカガラスチップ３５１は、プラスチック樹脂部材の射出成形時にシリカガラスチップ３４１，３５１が一体に成形されるので、光学的分析用の測定デバイス１００の大量生産を安価で実現することができる。また、シリカガラスチップ３４１，３５１は、第１平板１１１または第２平板１１２を形成するプラスチック樹脂部材から抜出防止の凸部３４６，３５６を有するので、確実に第１平板１１１または第２平板１１２にシリカガラスチップ３４１，３５１を取付けることができる。その結果、シリカガラスチップ３４１，３５１が第１平板１１１または第２平板１１２から抜出することを防止できる。
【０１３３】
また、シリカガラスチップ３０１，３０２および合成シリカガラスチップ３６１においては、円筒状部３６３の側面部分の算術表面粗さＲａが０．１μｍ以上１μｍ以下であるので、第１平板１１１および第２平板１１２から抜出することを防止できる。その結果、安定した光学的分析用の測定デバイスを形成することができる。
【０１３４】
本実施の形態においては、第１平板１１１および第２平板１１２が樹脂部材に相当し、シリカガラス部３００，３１０，３２０，３３０および合成シリカガラス３６０が無機物部材に相当し、流路２４０が流路に相当し、測定デバイス１００が光学的分析用の測定デバイスに相当し、テーパ傾斜θ１がテーパ部に相当し、算術平均粗さがＲａ０．１μｍ以上１μｍ以下の面３４５，３５５、および凸部３４６，３５６が抜出防止の凸形状に相当し、第１平板１１１が第１樹脂部材に相当し、第２平板１１２が第２樹脂部材に相当し、例えばシリカガラスチップ３０１，合成シリカガラスチップ３６１が第１無機物部材に相当し、シリカガラスチップ３０２等が第２無機物部材に相当する。
【０１３５】
本発明の好ましい実施の形態は上記の通りであるが、本発明はそれらだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図１】
2013183290.tif 000004
【図２】
2013183290.tif 000005
【図３】
2013183290.tif 000006
【図４】
2013183290.tif 000007
【図５】
2013183290.tif 000008
【図６】
2013183290.tif 000009
【図７】
2013183290.tif 000010
【図８】
2013183290.tif 000011
【図９】
2013183290.tif 000012
【図１０】
2013183290.tif 000013
【図１１】
2013183290.tif 000014
【図１２】
2013183290.tif 000015
【図１３】
2013183290.tif 000016
【図１４】
2013183290.tif 000017
【図１５】
2013183290.tif 000018
【図１６】
2013183290.tif 000019
【図１７】
2013183290.tif 000020
【図１８】
2013183290.tif 000021
【図１９】
2013183290.tif 000022
【図２０】
2013183290.tif 000023
【図２１】
2013183290.tif 000024
【図２２】
2013183290.tif 000025
【図２３】
2013183290.tif 000026
【図２４】
2013183290.tif 000027
【図２５】
2013183290.tif 000028
【図２６】
2013183290.tif 000029
【国際調査報告】
2013183290.tif 000030
2013183290.tif 000031